(57)【要約】【課題】カウンタの底板に形成した排水口に排水管を接続するという困難な作業を行わなくて済むミストサウナ機能付浴室機器の排水構造を提供する。【解決手段】浴室５を構成する一壁パネル３から浴室５内に向けて突出し上面がカウンタ面となる天板６１と、天板６１の浴室５内に位置する周端縁から下方に連設される側壁板６２と、側壁板６２の下端縁から該下端縁と一壁パネル３とで囲まれる部分に連設される底板６３と、でカウンタ６を構成する。浴室５の天井裏にミストサウナ機能付浴室機器７の装置本体７１を設置し、前記一壁パネル３のカウンタ６に対応する部分に壁貫通口３１を形成して、装置本体７１の排水部と壁貫通口３１との間に排水路８を接続し、カウンタ６の底板６３に排水口６４を形成して、前記排水口６４の端縁に、内部にフィルタ６６を備えた取付枠６５を取付けた。【選択図】        図１
2010127491.tif 000002
【特許請求の範囲】
【請求項１】
浴室を構成する一壁パネルから浴室内に向けて突出し上面がカウンタ面となる天板と、天板の浴室内に位置する周端縁から下方に連設される側壁板と、側壁板の下端縁から該下端縁と一壁パネルとで囲まれる部分に連設される底板と、でカウンタを構成し、浴室の天井裏にミストサウナ機能付浴室機器の装置本体を設置し、前記一壁パネルのカウンタに対応する部分に壁貫通口を形成して、装置本体の排水部と壁貫通口との間に排水路を接続し、カウンタの底板に排水口を形成して、前記排水口の端縁に、内部にフィルタを備えた取付枠を取付けて成ることを特徴とするミストサウナ機能付浴室機器の排水構造。
【発明の詳細な説明】
【技術分野】
【０００１】
本発明は、ミストサウナ機能付浴室機器の排水構造に関するものである。
【背景技術】
【０００２】
従来より、浴室内でミストサウナを行うためのミストサウナ装置が知られている。ミストサウナ装置は、浴室内にミストを吐出して低温又は高温で高湿度の環境を作り出し、身体に掛かる負担を少なくして使用者の発汗を促すものである。
【０００３】
ミストサウナ装置は、装置本体を浴室内に設置するものと浴室外に設置するものがあるが、浴室内に設置スペースを取らないという点で浴室外に設置するものの方が優れている。また近年、浴室の天井裏に設置する浴室暖房換気乾燥機が普及してきているが、この浴室暖房換気乾燥機にミストサウナ機能を付与したものが開発されており（特許文献１参照）、このものは機能の多さと浴室内に設置スペースを取らないという点で優れている。以下、ミストサウナ機能付きの暖房換気乾燥機等の機器を用いる場合について説明する。
【特許文献１】特開２００３−６５５５４号公報
【発明の開示】
【発明が解決しようとする課題】
【０００４】
ミストサウナ機能付浴室機器は、ミストサウナ運転時に余剰水が発生するため、余剰水を排水する必要がある。余剰水は、屋外排水とすると配管が煩雑となるため、屋内排水として浴室からの排水と共に排水するのが適している。
【０００５】
ここで、図３に示すように、洗い場となる部分に床パン１を設置すると共に洗い場に隣接して浴槽２を設置し、床パン１及び浴槽２の周囲から壁パネル３を立設し、壁パネル３の上端に天井パネル４を載置して浴室５を構成し、更に、一壁パネル３から浴室５内に向けて突出し上面がカウンタ面となる天板６１と、天板６１の浴室５内に位置する周端縁から下方に連設される側壁板６２と、側壁板６２の下端縁から該下端縁と一壁パネル３とで囲まれる部分に連設される底板６３と、で構成されるカウンタ６を備えたものを対象として説明する。図中の符号７はミストサウナ機能付浴室機器、７１はその装置本体を示す。
【０００６】
この場合、洗い場からの排水と共に余剰水を排水することとなる。天井裏に設置したミストサウナ機能付浴室機器７からの余剰水は、まず、ミストサウナ機能付浴室機器７の排水部に接続された排水路８に排出される。壁パネル３のカウンタ６に対応する部分に壁貫通口３１を形成すると共に、壁貫通口３１に壁貫通口取付枠３２を取り付け、前記排水部と壁貫通口取付枠３２との間に排水路８を接続する。
【０００７】
カウンタ６の底板６３に排水口６４を形成し、壁貫通口取付枠３２に可撓性を有する排水管３３の一端を接続すると共に、他端を底板６３の排水口６４に接続し、最終的にカウンタ６の下方の床パン１に排水するものである。
【０００８】
そして、使用者がカウンタ６を使用する時に足を入れるスペースを確保するため、カウンタ６の底板６３の奥行すなわち壁パネル３から手前の端縁までの長さは天板６１と比べて短くしていて、カウンタ６内の空間６０の底部は奥行が短くて狭く、排水管３３の他端を底板６３の排水口６４に接続するのは困難であった。
【０００９】
本発明は上記従来の問題点に鑑みて発明したものであって、その目的とするところは、カウンタの底板に形成した排水口に排水管を接続するという困難な作業を行わなくて済むミストサウナ機能付浴室機器の排水構造を提供することを課題とするものである。
【課題を解決するための手段】
【００１０】
上記課題を解決するために請求項１に係るミストサウナ機能付浴室機器７の排水構造は、浴室５を構成する一壁パネル３から浴室５内に向けて突出し上面がカウンタ面となる天板６１と、天板６１の浴室５内に位置する周端縁から下方に連設される側壁板６２と、側壁板６２の下端縁から該下端縁と一壁パネル３とで囲まれる部分に連設される底板６３と、でカウンタ６を構成し、浴室５の天井裏にミストサウナ機能付浴室機器７の装置本体７１を設置し、前記一壁パネル３のカウンタ６に対応する部分に壁貫通口３１を形成して、装置本体７１の排水部と壁貫通口３１との間に排水路８を接続し、カウンタ６の底板６３に排水口６４を形成して、前記排水口６４の端縁に、内部にフィルタ６６を備えた取付枠６５を取付けて成ることを特徴とするものである。
【発明の効果】
【００１１】
本発明においては、壁パネルの壁貫通口とカウンタの底板の排水口との間に排水管を接続する必要がなく、カウンタの底板に形成した排水口に排水管を接続するという困難な作業を行わなくて済むものである。
【発明を実施するための最良の形態】
【００１２】
以下、本発明について図１、図２に基づいて説明する。
【００１３】
本発明では図２に示すように浴室５は床ハーフ方式と称する浴室ユニットで構成され、浴室５の床面の洗い場となる部分に設置される床パン１と、浴槽２が設置される部分に配置される支持枠（図示せず）と、支持枠に載設支持される浴槽２と、エプロン２２と、床パン１の三辺の外端部及び浴槽２の三辺の外端部に立設する壁パネル３及びドア枠（図示せず）と、天井パネル４とで構成してある。
【００１４】
図示しないが、支持枠は少なくとも浴槽設置部を備えており、この支持枠上に床パン１を一体に設けてもよく、あるいは、床パン１と支持枠とは分離してあってもよい。支持枠や床パン１の下面部には高さ調整機能を備えた脚部が設けてあり、更に、支持枠の上面部の隅部に支柱が立設してある。
【００１５】
床パン１には、浴槽２に隣接する端辺の中央付近に排水口１１が形成してある。
【００１６】
そして、洗い場となる部分においては、設置した床パン１の周縁部（但し浴槽２と隣接する端縁は除く）から上方に上記壁パネル３を立設して浴室壁を形成し、浴槽２が設置される部分においては、設置した浴槽２の上端部のフランジ部の周縁部（但し洗い場と隣接する端縁は除く）から上方に上記壁パネル３を立設して浴室壁を形成し、浴室壁の上端部に上記天井パネル４を載設して天井が形成してある。
【００１７】
浴室５の天井裏には、ミストサウナ機能付浴室機器７の装置本体７１を設置する。ミストサウナ機能付浴室機器７については一般に普及しているもので、特に限定はされないが、天井裏に装置本体７１を設置すると共に、装置本体７１と浴室５とをダクトや連通口を介して連通させる。
【００１８】
装置本体７１について説明すると、図示はしないが、装置本体７１には浴室５外に設置した給湯機能付き熱源機からの温水経路が接続されると共に、水道に接続される給水管と、余剰水を排水する排水部とが設けられる。装置本体７１には、浴室５内の空気を吸入すると共に再び吐出する循環路が形成してあり、この循環路内に、前記熱源機から温水経路を介して供給される温水にて循環路内を流れる空気を加熱する熱交換器が設置してある。また循環路は、循環路内を流れる空気を乾燥させる乾燥機能を備えると共に、循環路内に吸入した空気を外部に排気する排気手段を備えている。
【００１９】
また装置本体７１には、給水管を介して供給される温水をミストノズルに導くミスト配管が設けてあり、このミスト配管の途中に、前記熱源機から温水経路を介して供給される温水にてミスト配管を流れる水を加熱する熱交換器が設置してある。ミストノズルは、浴室５内に向けて温水をミストとして吐出するものである。
【００２０】
そして、装置本体７１から浴室５内に暖気を吐出して暖房を行なったり、あるいは浴室５内の空気を排出して浴室５外に排気することで換気を行ったり、あるいは浴室５内の空気を吸入して除湿を行うと共に再び浴室５内に吐出して乾燥を行ったり、あるいは、浴室５内にミストを吐出してミストサウナを行なったりすることができる。
【００２１】
装置本体７１から余剰水を排水する排水部には、浴室５外、すなわち天井裏と浴室壁の外側に配設される排水路８の一端が接続される。
【００２２】
カウンタ６は、図１、図２に示すように、天板６１と、側壁板６２と、底板６３と、で構成される。天板６１は、一壁パネル３から浴室５内に向けて突出し、上面がカウンタ面となるもので、天板６１の壁パネル３と接している端縁を除く、浴室５内に位置する周端縁から下方に側壁板６２が連設される。側壁板６２は、下端縁が床パン１よりも上側に位置しており、この下端縁から該下端縁と一壁パネル３とで囲まれる部分に底板６３が連設される。底板６３は、カウンタ６の下方への開口を閉塞していて、天板６１と側壁板６２と底板６３と壁パネル３とで密閉されるカウンタ６内の空間６０が形成される。
【００２３】
カウンタ６は、使用者が使用する時に足を入れるスペースを確保するため、カウンタ６の底板６３の奥行、すなわち壁パネル３から浴室５内に突出している先端までの長さは、天板６１と比べて短くしているため、カウンタ６内の空間６０の底部は奥行が短くて狭い。
【００２４】
カウンタ６内の空間６０には、水配管や湯配管が配設してある。壁パネル３の前記空間６０に対応する部分には壁貫通口３１が形成してあり、壁貫通口３１に壁貫通口取付枠が取り付けてあってもよい。そして、装置本体７１の排水部に接続されている上記排水路８は、天井裏と浴室壁の外側を通って、他端を壁貫通口取付枠３２に取り付けてある。
【００２５】
カウンタ６の底板６３には、排水口６４が形成してあり、この排水口６４の端縁に、内部にフィルタ６６を備えた取付枠６５が取付けてある。取付枠６５には、中央部の下面につまみ６７が突設してある。また取付枠６５には、底板６３の排水口６４に隣接して穿設されている固着孔にゴムブッシュ６８が装着してあり、このゴムブッシュ６８内に挿通して底板６３に装着するための弾性を有する係止突部６９が突設してあり、つまみ６７をつまんで下方より係止突部６９をゴムブッシュ６８内に圧入し、底板６３に装着することができる。
【００２６】
上記のような構成の排水構造においては、浴室５の天井裏に設置した装置本体７１からの余剰水を浴室５からの排水と共に排水するにあたり、装置本体７１の排水部に接続される排水路８の他端を壁貫通口取付枠３２に取り付けるだけで、配管の施工が完了し、従来のように狭いカウンタ６内の底部の空間６０において排水管３３の他端を底板６３の排水口６４に接続するという困難な作業を行わなくて済み、作業性が向上するものである。
【００２７】
また、フィルタ６６で目詰まりが発生した場合でも、容易にメンテナンスができるものである。
【００２８】
また、カウンタ６の底板６３から排水するため、排水のための部材が床面に位置して踏んだりする惧れがない。
【図面の簡単な説明】
【００２９】
【図１】本発明の一実施形態を示し、（ａ）は要部側断面図であり、（ｂ）は取付枠の平面図であり、（ｃ）は取付枠を取り付けた底板の縦断面図である。
【図２】同上の浴室の一部分解斜視図である。
【図３】従来の浴室の一部分解斜視図である。
【図４】従来例を示し、（ａ）は要部側断面図であり、（ｂ）は壁パネルからカウンタを外した状態の斜視図である。
【符号の説明】
【００３０】
１    床パン
１１  排水口
２    浴槽
２１  フランジ部
２２  エプロン
３    壁パネル
３１  壁貫通口
４    天井パネル
５    浴室
６    カウンタ
６０  空間
６１  天板
６２  側壁板
６３  底板
６４  排水口
６５  取付枠
６６  フィルタ
６７  つまみ
６８  ゴムブッシュ
６９  係止突部
７    ミストサウナ機能付浴室機器
７１  装置本体
８    排水路
【図１】
2010127491.tif 000003
【図２】
2010127491.tif 000004
【図３】
2010127491.tif 000005
【図４】
2010127491.tif 000006